【手続補正書】
【提出日】平成18年2月7日(2006.2.7)
【手続補正１】
【補正対象書類名】明細書
【補正対象項目名】特許請求の範囲
【補正方法】変更
【補正の内容】
【特許請求の範囲】
【請求項１】  身体から物質を除去するための装置であって、以下：
体内への挿入用の長手シャフト、このシャフトは遠端部を有し；
前記シャフトの前記遠端部に設けられた拡張可能通路機構、この拡張可能通路機構は、前記体内への挿入用に径方向に圧縮された状態と、この拡張可能通路機構が、除去されるべき前記物質を捕捉する前記シャフトの前記遠端部近くの、前記除去される物質の直径に近い径方向に拡張した状態である拡張可能通路機構を含む、装置。
【手続補正２】
【補正対象書類名】明細書
【補正対象項目名】００６３
【補正方法】変更
【補正の内容】
【００６３】
以上、本発明を、その理解の明瞭性の目的で、図示及び具体例を参照しながら詳細に説明したが、添付のクレームの範囲内で様々な改変及び改造を行うことが可能であることは言うまでもない。
この発明の具体的な実施態様は以下の通りである。
（１）身体から物質を除去するための装置であって、以下：
体内への挿入用の長手シャフト、このシャフトは遠端部を有し；
前記シャフトの前記遠端部に設けられた拡張可能通路機構、この拡張可能通路機構は、前記体内への挿入用に径方向に圧縮された状態と、この拡張可能通路機構が、除去されるべき前記物質を捕捉する前記シャフトの前記遠端部近くの、前記除去される物質の直径に近い径方向に拡張した状態である拡張可能通路機構を含む、装置。
（２）実施態様（１）に記載の除去装置であって、更に以下：
前記シャフトを通って取り付けられる支持ワイヤ、該ワイヤは遠端部を有し；
前記ワイヤの前記遠端部に支持された物質捕捉部材、前記捕捉部材は、前記ワイヤを前記体内の係合されるべき物質を通るか、又はそれの回りに挿入させるための径方向に圧縮した状態と、前記物質に係合するための径方向に拡張した状態とを更に有し、前記物質の遠位側に配置された状態で前記捕捉部材を拡張させ、その後、この捕捉部材を近位側に移動させることによって、前記物質は前記拡張可能シャフト内に押し込まれる物質補足資材を有するワイヤを含む、装置。
（３）実施態様（１）に記載の除去装置であって、更に以下：
前記シャフトを通って取り付けられる支持ワイヤ、該ワイヤは遠端部を有し；
前記ワイヤの前記遠端部に支持された物質捕捉部材、前記捕捉部材は、前記ワイヤを前記体内の係合されるべき物質を通って、又はそれの回りに挿入させるための径方向に圧縮した状態と、前記物質に係合するための径方向に拡張した状態とを有し、前記物質の遠位側に配置された状態で前記捕捉部材を拡張させ、その後、この捕捉部材を近位側に移動させることによって、前記物質は前記拡張可能シャフト内に押し込まれる、装置。
（４）実施態様（３）に記載の除去装置であって、前記拡張可能通路機構が環状編組状セグメントであり、そして前記係合部材は、マルチ−ウイングマルコー式機構である、除去装置。
（５）実施態様（４）に記載の除去装置であって、前記マルチ−ウイングマルコー機構は凹凸表面を有する、除去装置。
（６）実施態様（４）に記載の除去装置であって、前記マルチ−ウイングマルコー機構は、表面積を増加させるべくそのウイング間に膜を有する、除去装置。
（７）実施態様（３）に記載の除去装置であって、前記拡張可能通路機構は環状編組状セグメントであり、そして
前記捕捉部材は環状編組状セグメントである、除去装置。
（８）実施態様（３）に記載の除去装置であって、前記拡張可能通路機構は環状編組状セグメントであり、そして
前記捕捉部材は膨張可能バルーンセグメントである、除去装置。
（９）実施態様（８）に記載の除去装置であって、前記バルーンは凹凸表面を有する、除去装置。
（１０）実施態様（３）に記載の除去装置であって、前記捕捉部材は、その前記拡張状態に於いて、それが挿入される通路の壁に接触する、除去装置。
（１１）実施態様（２）に記載の除去装置であって、前記捕捉部材は、その前記拡張状態に於いて、それが挿入される通路の壁に接触する、除去装置。
（１２）実施態様（２）に記載の除去装置であって、
前記拡張可能通路機構は、環状編組状セグメントであり、そして
前記捕捉部材は、環状編組状セグメントである、除去装置。
（１３）実施態様（２）に記載の除去装置であって、
前記拡張可能通路機構は、環状編組状セグメントであり、そして
前記捕捉部材は、膨張可能バルーンセグメントである、除去装置。
（１４）実施態様（１３）に記載の除去装置であって、前記バルーンは凹凸表面を有する、除去装置。
（１５）実施態様（２）に記載の除去装置であって、
前記拡張可能通路機構は、環状編組状セグメントであり、そして
前記係合部材は、マルチ−ウイングマルコー式機構である、除去装置。
（１６）実施態様（１２）に記載の除去装置であって、前記捕捉部材は、前記状態間で移動するのに十分なフレキシビリティと、前記標的物質を除去する時に前記拡張状態を実質的に保持するのに十分な剛性とを有する個々のヤーンから成る編組状部材である、除去装置。
（１７）実施態様（７）に記載の除去装置であって、前記捕捉部材は、前記状態間で移動するのに十分なフレキシビリティと、前記標的物質を除去する時に前記拡張状態を実質的に保持するのに十分な剛性とを有する個々のヤーンから成る編組状部材である、除去装置。
（１８）身体から物質を除去するための装置であって、以下：
遠端部を有する支持ワイヤ；
退避挿入状態と拡張物質除去状態とを有する捕捉部材であって、前記支持ワイヤは、前記捕捉部材を前記退避状態から前記拡張状態へと移動させるためのユーザ操作可能手段を備え、
前記捕捉部材を物質の遠位側に位置させた状態で拡張させて前記物質を除去する捕捉部材を含む、除去装置。
（１９）実施態様（１８）に記載の除去装置であって、前記捕捉部材はマルチ−ウイングマルコー式捕捉部材である、除去装置。
（２０）カテーテルが挿入される身体から物質を受取るために使用されるカテーテルであって、その改良構成は以下：
前記カテーテルの遠端部に設けられた拡張可能通路機構であって、前記捕捉機構は、径方向に退避した状態と径方向に拡張した状態であり、前記捕捉部材と連動して、この捕捉部材を前記退避状態から前記拡張状態へと移動させるアクチュエータを有し、前記カテーテルが体内通路に挿入された時に前記拡張可能通路機構を膨張させると、前記カテーテルの遠位側の前記通路内の位置から、近位側に除去される物質が、前記拡張可能カテーテルのルーメンに入り、前記カテーテルの外部に於いて前記体内通路からブロックされるか、若しくは、前記拡張可能通路は吸引のためのシールとして作用する、カテーテル。
（２１）体内から物質を除去する方法であって、以下の工程：
支持ワイヤを前記体内に挿入する工程であって、前記ワイヤは遠端部と、該ワイヤの前記遠端部に支持された物質捕捉係合部材とを有し、前記捕捉部材は、前記ワイヤを前記体内に挿入させるための径方向に圧縮された状態を有し、前記捕捉部材は、前記径方向圧縮状態に於いて、係合するべき物質を通過、又は、その回りを通過し、そして前記支持ワイヤ上に前記体内へシャフトを挿入し、前記シャフトは除去するべき物質を受け入れる拡張可能通路である、方法。
（２２）実施態様（２１）に記載の方法であって、前記捕捉部材を近位側に移動させて前記物質を前記拡張可能通路内へ更に押し込む工程を有する、方法。
（２３）実施態様（２１）に記載の方法であって、前記拡張可能通路および前記捕捉部材とは、管状編組構造体から構成され、前記部材は、前記両状態間で移動するのに十分な柔軟性と、前記標的物質を除去する時に前記拡張状態を実質的に保持するのに十分な剛性とを有する個々のヤーンを有する、方法。
（２４）実施態様（２１）に記載の方法であって、前記捕捉部材が膨張可能バルーンである、方法。
（２５）実施態様（２１）に記載の方法であって、前記捕捉部材がマルチ−ウイングマルコー機構である、方法。
（２６）身体から物質を除去する方法であって、以下の工程：
除去されるべき標的物質に向けてシャフトを体内に挿入する工程；ここで、前記シャフトは、除去するべき物質を受ける拡張可能通路である、方法。
（２７）実施態様（２６）に記載の方法であって、前記拡張可能通路機構が下部構造機構によって補助される、方法。
（２８）実施態様（２６）に記載の方法であって、前記拡張可能通路機構が上部構造機構によって補助される、方法。
（２９）実施態様（２６）に記載の方法であって、前記拡張可能通路機構に依る物質除去は、この拡張可能通路機構を前方に押す以外の外部エネルギ源によって補助される、方法。
（３０）実施態様（２９）に記載の方法であって、前記外部エネルギ源は：細胞溶解療法、熱エネルギ、電気エネルギ、モータ駆動回転、レーザエネルギ、音波エネルギ、機械的細切除去術、無線周波数エネルギ、の内のいずれか一つである、方法。